(57)【要約】【課題】  スケールの全長にわたって安定したインクミストの付着防止を図ることができ、キャリッジの高精度な位置検出を長期にわたって安定維持することのできる良好な記録装置を提供する。【解決手段】  インクジェット式プリンタは、印刷用紙の搬送方向と直交する方向に往復移動するキャリッジ４に搭載されてインクを噴射する記録ヘッド５と、キャリッジ４を駆動するキャリッジ駆動機構６によるキャリッジ４の駆動を制御するためにキャリッジ４の位置を検出するキャリッジ位置検出機構７と、を備える。キャリッジ位置検出機構７は、キャリッジ４の移動方向に沿って設けられたスケール１１と、キャリッジ４に取り付けられてスケール１１上の目印を読み取るセンサ１２と、センサ１２の読み取り動作を妨げないようにスケール１１の外周囲を覆うミスト付着防止筒１３と、を備える。【選択図】  図３
2007237615.tif 000002
【特許請求の範囲】
【請求項１】
搬送される被処理物の搬送方向と直交する方向に往復移動するキャリッジと、該キャリッジに搭載されて前記被処理物の表面に液滴を噴射する噴射ヘッドと、前記キャリッジを駆動するキャリッジ駆動機構と、該キャリッジ駆動機構による前記キャリッジの駆動を制御するために前記キャリッジの位置を検出するキャリッジ位置検出機構と、を備える記録装置であって、
前記キャリッジ位置検出機構は、前記キャリッジの移動方向に沿って設けられて位置検出用の目印が付与されたスケールと、前記キャリッジに取り付けられて前記スケール上の目印を読み取るセンサと、前記センサの読み取り動作を妨げないように前記スケールの外周囲を覆うミスト付着防止筒と、を備えることを特徴とする記録装置。
【請求項２】
前記ミスト付着防止筒が、前記スケールに沿って伸縮可能な蛇腹構造を有して前記スケール上の前記センサによる読み取り部から一端側のスケール外周囲を覆う第１の伸縮筒と、前記スケールに沿って伸縮可能な蛇腹構造を有して前記読み取り部から他端側のスケール外周囲を覆う第２の伸縮筒と、を備えることを特徴とする請求項１に記載の記録装置。
【請求項３】
前記ミスト付着防止筒は、前記センサが前記キャリッジの移動方向に移動自在に挿通するセンサ用開口を長手方向に沿って形成した構造であることを特徴とする請求項１に記載の記録装置。
【請求項４】
前記センサ用開口の縁部には、前記センサ用開口を挿通するセンサ支持部と前記センサ用開口との間の隙間を塞ぐシールド材が設けられることを特徴とする請求項３に記載の記録装置。
【発明の詳細な説明】
【技術分野】
【０００１】
本発明は、キャリッジの位置を検出するキャリッジ位置検出機構を備えた記録装置に関する。
【背景技術】
【０００２】
図１６は、従来の記録装置であるインクジェット式プリンタの外観を示したものである。
このインクジェット式プリンタ１００は、外観を提供する装置ケース１０１内に、所定の搬送経路で印刷用紙（被処理物）を搬送する不図示の搬送機構と、前記搬送経路の途中に設定された当該ケース内の印刷基準面（プラテン面）に対面する位置において前記印刷用紙の搬送方向と直交する用紙幅方向（図の矢印（Ｘ）方向）に移動自在に支持されたキャリッジ１０３と、このキャリッジ１０３に搭載されて印刷基準面上の印刷用紙の表面にインク滴を噴射する不図示の記録ヘッド（噴射ヘッド）と、キャリッジ１０３を用紙幅方向に駆動する不図示のキャリッジ駆動機構と、該キャリッジ駆動機構によるキャリッジ１０３の駆動を制御するためにキャリッジ１０３の用紙幅方向の位置を検出するキャリッジ位置検出機構１０５と、を備えている。
【０００３】
キャリッジ位置検出機構１０５は、キャリッジ１０３の移動方向に沿って位置検出用のストライプ等の目印を付与したスケール１０６と、キャリッジ１０３に取り付けられてスケール１０６上の目印を読み取る不図示のセンサとを備えている。なお、スケール１０６は、図１７に示すように、キャリッジ１０３の移動方向と平行に、剥き出しの状態で設置されている。
【０００４】
ところで、近年、インクジェット式プリンタにおける印刷品質の高精細化に伴い、記録ヘッドから噴射されるインク滴の粒径は、益々微細化されている。そして、このインク滴の微細化に伴い、印刷処理時に記録ヘッドから噴射されたインク滴の一部が、印刷用紙の印刷面に付着せずに微小なインクミストとして装置ケース内に浮遊し易くなっている。
装置ケース内に浮遊するインクミスト（浮遊ミスト）が、前述のスケール１０６の表面に付着すると、スケール１０６に設けた位置検出用の目印が検出し難くなり、上記キャリッジ位置検出機構１０５における位置検出精度の低下や誤検出に起因した動作不良が発生する可能性がある。
【０００５】
そこで、キャリッジの往復移動時に前記スケール１０６の表面を擦るウレタン樹脂等の清掃手段をキャリッジに取り付けた構成とすることで、スケール１０６に付着したインクミストを前記清掃手段に拭い取らせ、キャリッジ位置検出機構における位置検出精度の低下や誤検出を防止する技術等が提案されている（例えば、特許文献１参照）。
【０００６】
【特許文献１】特開２００２−３６１９０１号公報
【発明の開示】
【発明が解決しようとする課題】
【０００７】
ところが、上記特許文献１の技術では、スケールの表面を拭う処理の繰り返しにより清掃手段の表面が一定以上汚れると、清掃手段による清掃性能が大きく低下するため、例えば、定期的に清掃手段を交換するなどのメンテナンスが必要となるという問題があった。
また、上記特許文献１の技術では、スケールへの清掃手段の押圧力がキャリッジの移動位置によって変動する場合、例えば、押圧力が弱い範囲では部分的にインクミストの取り残しが生じたり、部分的に押圧力が強くなる部位では衝撃的な摺接により異音の発生を招いたりする虞があり、スケールの全長にわたって安定したインクミストの付着防止を図ることが難しかった。
【０００８】
従って、本発明の目的は上記課題を解消することに係り、スケールの全長にわたって安定したインクミストの付着防止を図ることができ、キャリッジの高精度な位置検出を長期にわたって安定維持することのできる良好な記録装置を提供することである。
【課題を解決するための手段】
【０００９】
本発明の上記目的は、搬送される被処理物の搬送方向と直交する方向に往復移動するキャリッジと、該キャリッジに搭載されて前記被処理物の表面に液滴を噴射する噴射ヘッドと、前記キャリッジを駆動するキャリッジ駆動機構と、該キャリッジ駆動機構による前記キャリッジの駆動を制御するために前記キャリッジの位置を検出するキャリッジ位置検出機構と、を備える記録装置であって、
前記キャリッジ位置検出機構は、前記キャリッジの移動方向に沿って設けられて位置検出用の目印が付与されたスケールと、前記キャリッジに取り付けられて前記スケール上の目印を読み取るセンサと、前記センサの読み取り動作を妨げないように前記スケールの外周囲を覆うミスト付着防止筒と、を備えることを特徴とする記録装置により達成される。
【００１０】
上記構成の記録装置によれば、印刷処理等で噴射ヘッドから噴射された液滴の一部が装置ケース内を浮遊する浮遊ミストとなった場合でも、キャリッジ位置検出機構のスケールは、その外周囲を覆うミスト付着防止筒によって浮遊ミストが浮遊するケース内空間から隔離されているので、浮遊ミストが付着することがない。
また、ミスト付着防止筒による隔離によって浮遊ミストの付着を防止する構造のため、スケールに付着した浮遊ミストを清掃手段により擦り取る従来技術に比べて、清掃手段の交換等のメンテナンスを定期的に実施するなどの手間が不要になり、スケールへの浮遊ミストの付着防止を長期に渡って維持できる。
【００１１】
なお、上記構成の記録装置において、前記ミスト付着防止筒が、前記スケールに沿って伸縮可能な蛇腹構造を有して前記スケール上の前記センサによる読み取り部から一端側のスケール外周囲を覆う第１の伸縮筒と、前記スケールに沿って伸縮可能な蛇腹構造を有して前記読み取り部から他端側のスケール外周囲を覆う第２の伸縮筒と、を備えることが望ましい。
【００１２】
このような構成の記録装置によれば、キャリッジの移動動作を妨げずに、スケールの全長をミスト付着防止筒で覆った構造が簡単に得られ、スケールの全長に対してインクミストの付着防止を容易に実現することができる。
【００１３】
また、上記構成の記録装置において、前記ミスト付着防止筒は、前記センサが前記キャリッジの移動方向に移動自在に挿通するセンサ用開口を長手方向に沿って形成した構造であることが望ましい。
【００１４】
このような構成の記録装置によれば、ミスト付着防止筒としては、例えば筒壁の一部を長手方向に沿って切り離した単純な円筒体を使用することができる。
そこで、蛇腹構造の筒体を使用する場合と比較して、キャリッジの移動に伴いミスト付着防止筒が変形することがないため、ミスト付着防止筒の耐久性確保が容易になる。
なお、このようなミスト付着防止筒は、センサ用開口を下向きにして設置される構成とすれば良い。そのようにすると、浮遊している浮遊ミストが時間の経過に伴ってケース内を沈降する際に、センサ用開口からミスト付着防止筒内に浮遊ミストが浸入することを抑止でき、特にセンサ用開口を塞ぐシールド材を装備せずとも、浮遊ミストのスケールへの付着を抑止できる。
【００１５】
更に、上記構成の記録装置において、前記センサ用開口の縁部には、前記センサ用開口を挿通するセンサ支持部と前記センサ用開口との間の隙間を塞ぐシールド材が設けられることが望ましい。
このような構成の記録装置によれば、装置ケース内に浮遊する浮遊ミストが、センサ用開口からミスト付着防止筒内部に浸入することを確実に防止でき、浮遊ミストのスケールへの付着防止効果を向上させることができる。また、センサ用開口を下向きにする必要もなく、取付け自由度が向上する。
【発明の効果】
【００１６】
本発明に係る記録装置によれば、キャリッジ位置検出機構のスケールは、その外周囲を覆うミスト付着防止筒によって、浮遊ミストが浮遊するケース内空間から隔離されているので、スケールに浮遊ミストが付着することがない。また、ミスト付着防止筒による隔離によって浮遊ミストの付着を防止する構造のため、スケールに付着したインクミストを清掃手段により擦り取る従来技術と比べて、清掃手段の交換等のメンテナンスを定期的に実施するなどの手間が不要になり、スケールへのインクミストの付着防止を長期に渡って維持できる。
従って、スケールの全長にわたって安定したインクミストの付着防止を図ることができ、キャリッジの高精度な位置検出を長期にわたって安定維持することのできる良好な記録装置を提供できる。
【発明を実施するための最良の形態】
【００１７】
以下、添付図面に基づいて本発明の一実施形態に係る記録装置を詳細に説明する。
図１は本発明の第１実施形態に係る記録装置をその前方斜め上方から見た斜視図、図２は図１におけるＢ部の拡大図、図３及び図４は図２に示したキャリッジとキャリッジ位置検出機構との位置関係を示す要部斜視図及び模式図、図５は図３におけるＣ−Ｃ矢視断面図、図６は図５におけるＤ部の拡大図、図７は図３におけるＥ−Ｅ矢視断面図、図８は図７におけるＦ部の拡大図、図９は図３に示したキャリッジが一端側に移動した時の第１の伸縮筒及び第２の伸縮筒の伸縮状態を示す要部斜視図、図１０は図３に示したキャリッジが他端側に移動した時の第１の伸縮筒及び第２の伸縮筒の伸縮状態を示す要部斜視図及び模式図である。
【００１８】
本第１実施形態のインクジェット式プリンタ（記録装置）１は、所謂、前面給排紙タイプのインクジェットプリンタであり、装置ケース２内に、所定の搬送経路で印刷用紙（被処理物）を搬送する不図示の搬送機構と、前記搬送経路の途中に設定された当該ケース内の印刷基準面（プラテン面）に対面する位置において、搬送される印刷用紙の搬送方向と直交する用紙幅方向（図１のＹ方向）に往復移動自在に支持されたキャリッジ４と、このキャリッジ４に搭載されて印刷基準面上の印刷用紙の表面にインク滴（液滴）を噴射することで文字や図形等の画像を印刷する記録ヘッド（噴射ヘッド）５と、キャリッジ４を用紙幅方向に駆動するキャリッジ駆動機構６と、このキャリッジ駆動機構６によるキャリッジ４の駆動を制御するためにキャリッジ４の位置を検出するキャリッジ位置検出機構７と、を備えている。
【００１９】
キャリッジ４は、図５に示すように、用紙幅方向に沿って装置ケース２内に架設された一対のガイド軸６ａ，６ｂに摺動自在に外嵌する軸支部４ａ，４ｂを備えており、これらガイド軸６ａ，６ｂと軸支部４ａ，４ｂとの嵌合により、用紙幅方向に移動自在に支持されている。
このキャリッジ４には、図５に示すように、カートリッジ装着部４ｃが形成されている。このカートリッジ装着部４ｃには、記録ヘッド５に供給するインクを貯留したインクカートリッジ（図示略）が、着脱可能に装着される。
キャリッジ駆動機構６は、キャリッジ４が固定されたタイミングベルトをキャリッジモータによって駆動することで、キャリッジ４を用紙幅方向の任意位置に移動させる。
【００２０】
キャリッジ位置検出機構７は、図３乃至図８に示すように、キャリッジ４の移動方向に沿って位置検出用の目印を付与した帯状のスケール１１と、キャリッジ４に取り付けられてスケール１１上の目印を読み取るセンサ１２と、センサ１２の読み取り動作を妨げないようにスケール１１の外周囲を覆うミスト付着防止筒１３とを備えた構成である。センサ１２の検出信号は、キャリッジ駆動機構６の動作を制御する制御部に送られる。
【００２１】
本第１実施形態の場合、スケール１１は帯状に形成された透明の樹脂性シートであり、その表面には、位置検出用の目印として数百条の黒色のストライプが、例えば電子写真印刷により長手方向においてほぼ等間隔となるように印刷されている。
センサ１２は、図６に示すように、スケール１１を収容する収容空間１２ａをキャリッジ４の背面側壁４ｃとの協働で形成した角筒状のケース本体１２ｂと、収容空間１２ａ内に保持されたセンサ本体１２ｃとから構成されている。
【００２２】
センサ本体１２ｃは、スケール１１を挟んで対向する一対の対向面１２ｄ，１２ｅに、スケール１１に向けて光を出射する投光素子と、スケール１１を透過した光を受光すると所定の信号を出力する受光素子を配備した光センサであり、スケール１１に装備された位置検出用の目印としての黒色ストライプにより投光素子からの光が遮断されることで目印の有無に応じた信号を出力する。
キャリッジ４の移動時には、センサ１２の出力信号に基づいて、センサ本体１２ｃの投光素子から出射された光がスケール上の目印の黒色ストライプにより遮断される回数を計数することで、キャリッジ４の用紙幅方向の位置検出が可能になる。
【００２３】
本実施形態の場合、ミスト付着防止筒１３は、図３及び図４に示すように、スケール１１に沿って伸縮可能な蛇腹構造を有してスケール１１上のセンサ１２による読み取り部から一端側（図４では右側）に位置するスケール外周囲を覆う第１の伸縮筒１３ａと、この第１の伸縮筒１３ａと同様にスケール１１に沿って伸縮可能な蛇腹構造を有してセンサ１２による読み取り部から他端側（図４では左側）に位置するスケール外周囲を覆う第２の伸縮筒１３ｂと、を備えている。
【００２４】
第１の伸縮筒１３ａ及び第２の伸縮筒１３ｂは、樹脂製又はゴム製の筒体であり、キャリッジ４のケース本体１２ｂ側の端部がケース本体１２ｂに固定され、他端部がプリンタの装置ケース２に固定されている。
また、図８に示すように、第１の伸縮筒１３ａ及び第２の伸縮筒１３ｂにおいて、蛇腹部の小径部の内径ｄは、蛇腹の伸縮時に小径部の内面がスケール１１に接触することのないように、スケール１１の幅よりも大きく設定されている。
【００２５】
このようなキャリッジ位置検出機構７では、図３及び図４に示す状態からキャリッジ４が矢印Ｇ方向に移動すると、図９に示したように、キャリッジ４の移動方向に位置する第１の伸縮筒１３ａは蛇腹が縮んで縮長し、キャリッジ４の移動方向と逆側に位置する第２の伸縮筒１３ｂは、蛇腹が延びて伸長する。
一方、図３に示す状態からキャリッジ４が矢印Ｈ方向に移動すると、図１０に示したように、キャリッジ４の移動方向に位置する第２の伸縮筒１３ｂは蛇腹が縮んで縮長し、キャリッジ４の移動方向と逆側に位置する第１の伸縮筒１３ａは、蛇腹が延びて伸長する。
【００２６】
即ち、以上に説明した第１実施形態のインクジェット式プリンタ１によれば、印刷処理等で記録ヘッド５から噴射されたインク滴の一部が装置ケース２内を浮遊するインクミスト（浮遊ミスト）となった場合でも、キャリッジ位置検出機構７のスケール１１は、その外周囲を覆うミスト付着防止筒１３によって、インクミストが浮遊するケース内空間から隔離されているので、スケール１１にインクミストが付着することがない。
【００２７】
また、ミスト付着防止筒１３による隔離によってインクミストの付着を防止する構造のため、スケールに付着したインクミストを清掃手段により擦り取る従来技術に比べて、清掃手段の交換等のメンテナンスを定期的に実施するなどの手間が不要になり、スケール１１へのインクミストの付着防止を長期に渡って維持できる。
従って、本実施形態のインクジェット式プリンタ１は、キャリッジ４の移動範囲の全域に対して、該キャリッジ４の高精度な位置検出を長期にわたって安定維持することができる。
【００２８】
また、本実施形態では、ミスト付着防止筒１３が、スケール１１の長手方向に沿って伸縮可能な蛇腹構造を有してスケール１１上のセンサ１２による読み取り部から一端側のスケール外周囲を覆う第１の伸縮筒１３ａと、軸方向に伸縮可能な蛇腹構造で読み取り部から他端側のスケール外周囲を覆う第２の伸縮筒１３ｂとを備えた構成である。
そこで、キャリッジ４の移動に伴って移動方向の伸縮筒が縮長する一方で逆側の伸縮筒が伸長することで、キャリッジ４の移動動作を妨げずに、スケール１１の全長をミスト付着防止筒１３で覆った構造が簡単に得られ、スケール１１の全長に対してインクミストの付着防止を容易に実現することができる。
【００２９】
なお、スケール１１へのインクミストの付着を防止するためのミスト付着防止筒１３の具体的な構造は、蛇腹状の筒体を利用する上記第１実施形態の構造に限らない。
図１１は本発明の第２実施形態に係る記録装置におけるキャリッジとキャリッジ位置検出機構との位置関係を示す要部斜視図、図１２は図１１におけるＩ−Ｉ矢視断面図、図１３は図１２におけるＪ部の拡大図、図１４は図１１におけるＫ−Ｋ矢視断面図、図１５は図１４におけるＬ−Ｌ矢視断面図である。なお、上記第１実施形態の記録装置と同様の構成部品については、同符号付して詳細な説明を省略する。
【００３０】
本第２実施形態のキャリッジ位置検出機構１７は、図１１乃至図１５に示すように、キャリッジ４の移動方向に沿って位置検出用の目印を付与した帯状のスケール１１と、キャリッジ４に取り付けられてスケール１１上の目印を読み取るセンサ１８と、センサ１８の読み取り動作を妨げないようにスケール１１の外周囲を覆うミスト付着防止筒１９とを備えた構成である。センサ１８の検出信号は、キャリッジ駆動機構６の動作を制御する制御部に送られる。
【００３１】
本第２実施形態の場合、ミスト付着防止筒１９は、図１３に示すように、円筒状の筒体２０の周壁に、センサ１８がキャリッジ４の移動方向に移動自在に挿通するセンサ用開口２１を長手方向に沿って形成した構造である。センサ用開口２１は、キャリッジ４の移動範囲の全長に及ぶ細長いスリット状である。本実施形態の場合、ミスト付着防止筒１９は、センサ用開口２１を下方に向けた状態で、その両端部がプリンタの装置ケース２に固定されている。
【００３２】
本実施形態のセンサ１８は、図１４に示すように、ミスト付着防止筒１９の下方に位置するセンサ取付台２５と、このセンサ取付台２５をキャリッジ４の背面側壁４ｃに連結・固定する連結枠２６と、センサ取付台２５に取り付けられたセンサ本体２７とから構成されている。
【００３３】
連結枠２６は、ミスト付着防止筒１９の外周囲を囲う略コ字状の枠体で、ミスト付着防止筒１９に接触しないように、寸法設定されている。
センサ本体２７は、ミスト付着防止筒１９内のスケール１１を挟んで対向する一対の対向壁２７ａ，２７ｂと、これらの一対の対向壁２７ａ，２７ｂの下端部を一体化する連結壁（センサ支持部）２７ｃとで、略Ｕ字状の横断面構造に形成されている。
【００３４】
このセンサ本体２７は、スケール１１を挟んで対向する一対の対向壁２７ａ，２７ｂに、スケール１１に向けて光を出射する投光素子と、スケール１１を透過した光を受光すると所定の信号を出力する受光素子を配備した光センサであり、スケール１１に装備された位置検出用の目印としての黒色ストライプにより投光素子からの光が遮断されることで目印の有無に応じた信号を出力する。
【００３５】
センサ本体２７の連結壁２７ｃは、ミスト付着防止筒１９に形成されたセンサ用開口２１を挿通して、その下方に位置しているセンサ取付台２５に固着されている。
連結壁２７ｃの前端２７ｄ及び後端２７ｅは、図１５に示すように、センサ用開口２１の幅方向の中心に向かって徐々に幅寸法を狭めた先細り形状に成形されている。
【００３６】
そして、本実施形態の場合、ミスト付着防止筒１９のセンサ用開口２１の対向する縁部には、センサ用開口２１を挿通するセンサ本体２７の連結壁２７ｃとセンサ用開口２１との間の隙間を塞ぐゴム等の可撓性のシールド材３１，３２が設けられている。
シールド材３１，３２は、ゴム板や板状のスポンジ等で形成されており、図１５に示すように、連結壁２７ｃが挿通する部位以外では、シールド材３１，３２相互が先端を突き合わせて、センサ用開口２１を閉塞する。そして、連結壁２７ｃの挿通部位では、連結壁２７ｃの外周形状に相応してシールド材３１，３２が弾性変形し、連結壁２７ｃの周りにミスト付着防止筒１９内に連通する隙間ができることを防止している。
【００３７】
連結壁２７ｃの前端２７ｄ及び後端２７ｅの先細りの形状は、キャリッジ４の移動に伴ってセンサ本体２７がミスト付着防止筒１９内を移動する際に、先端側から徐々にシールド材３１，３２を押し広げるように、シールド材３１，３２に無理のない（急激でない）弾性変形を引き起こす。
【００３８】
即ち、連結壁２７ｃの前端２７ｄ及び後端２７ｅの先細りの形状は、シールド材３１，３２の弾性変形部の変位を容易にし、連結壁２７ｃの移動時におけるシールド材３１，３２との接触抵抗を低減させると同時に、連結壁２７ｃとシールド材３１，３２との密着度の向上による高いシールド性を得る役割を果たしている。
【００３９】
即ち、以上に説明した第２実施形態のインクジェット式プリンタの場合は、ミスト付着防止筒１９としては、図示のように、筒壁の一部を長手方向に沿って切り離した単純な円筒体を使用することができる。
そこで、第１実施形態のように蛇腹構造の筒体を使用する場合と比較して、キャリッジ４の移動に伴いミスト付着防止筒が変形することがないため、ミスト付着防止筒の耐久性の確保が容易になる。
【００４０】
なお、本第２実施形態のミスト付着防止筒１９は、センサ用開口２１を下向きにして設置しているため、もしもシールド材３１，３２を設けていない構造であったとしても、浮遊しているインクミストが時間の経過に伴ってケース内を沈降する際に、センサ用開口２１からミスト付着防止筒１９内にインクミストが浸入することを抑止でき、特にセンサ用開口２１を塞ぐシールド材３１，３２を装備せずとも、インクミストのスケール１１への付着を抑止できる。
【００４１】
勿論、本第２実施形態のミスト付着防止筒１９は、センサ用開口２１を下向きに設置し、更に、センサ用開口２１の縁部には、可撓性のシールド材３１，３２を設けたので、装置ケース２内に浮遊するインクミストがセンサ用開口２１からミスト付着防止筒１９内部に浸入することを確実に防止でき、インクミストのスケール１１への付着防止効果を更に向上させることができる。
【００４２】
また、本第２実施形態のように、センサ用開口２１の縁部に隙間を塞ぐゴム等で形成されたシールド材３１，３２を設けた場合には、センサ用開口２１の向きが下向き以外でも、インクミストがミスト付着防止筒１９内に浸入し難いため、センサ用開口２１の向きを横向き等に変更して、センサ本体２７とキャリッジ４との連結構造の単純化を図るなど、取付け自由度が向上する。
【００４３】
なお、本発明に係る記録装置は、上記実施形態で例示したインクジェット式プリンタをはじめとして、例えば液晶ディスプレー等のカラーフィルタ製造に用いられる色材噴射ヘッドを備えた装置、有機ＥＬディスプレー、面発光ディスプレー（ＦＥＤ）等の電極形成に用いられる電極材（導電ペースト）噴射ヘッドを備えた装置、バイオチップ製造に用いられる生体有機物噴射ヘッドを備えた装置、精密ピペットとしての試料噴射ヘッドを備えた装置、捺染装置やマイクロデスペンサ等にも適用できる。
【図面の簡単な説明】
【００４４】
【図１】本発明の第１実施形態に係る記録装置をその前方斜め上方から見た斜視図である。
【図２】図１におけるＢ部の拡大図である。
【図３】図２に示したキャリッジとキャリッジ位置検出機構との位置関係を示す要部斜視図である。
【図４】図３に示したキャリッジ位置検出機構の構成を示す模式図である。
【図５】図３におけるＣ−Ｃ矢視断面図である。
【図６】図５におけるＤ部の拡大図である。
【図７】図３のＥ−Ｅ矢視断面図である。
【図８】図７におけるＦ部の拡大図である。
【図９】図３に示したキャリッジが一端側に移動した時の第１の伸縮筒及び第２の伸縮筒の伸縮状態を示す要部斜視図である。
【図１０】図３に示したキャリッジが他端側に移動した時の第１の伸縮筒及び第２の伸縮筒の伸縮状態を示す要部斜視図である。
【図１１】本発明の第２実施形態に係る記録装置におけるキャリッジとキャリッジ位置検出機構との位置関係を示す要部斜視図である。
【図１２】図１１におけるＩ−Ｉ矢視断面図である。
【図１３】図１２におけるＪ部の拡大図である。
【図１４】図１１におけるＫ−Ｋ矢視断面図である。
【図１５】図１４におけるＬ−Ｌ矢視断面図である。
【図１６】従来のインクジェット式プリンタをその前方斜め上方から見た斜視図である。
【図１７】図１６におけるＡ部の拡大図である。
【符号の説明】
【００４５】
１…インクジェット式プリンタ（記録装置）、２…装置ケース、４…キャリッジ、５…記録ヘッド（噴射ヘッド）、６…キャリッジ駆動機構、６ａ，６ｂ…ガイド軸、７…キャリッジ位置検出機構、１１…スケール、１２…センサ、１３…ミスト付着防止筒、１３ａ…第１の伸縮筒、１３ｂ…第２の伸縮筒
【図１】
2007237615.tif 000003
【図２】
2007237615.tif 000004
【図３】
2007237615.tif 000005
【図４】
2007237615.tif 000006
【図５】
2007237615.tif 000007
【図６】
2007237615.tif 000008
【図７】
2007237615.tif 000009
【図８】
2007237615.tif 000010
【図９】
2007237615.tif 000011
【図１０】
2007237615.tif 000012
【図１１】
2007237615.tif 000013
【図１２】
2007237615.tif 000014
【図１３】
2007237615.tif 000015
【図１４】
2007237615.tif 000016
【図１５】
2007237615.tif 000017
【図１６】
2007237615.tif 000018
【図１７】
2007237615.tif 000019